(57)【要約】【課題】走行車に上下方向に傾動可能に支持されて油圧シリンダーの作動により上下に傾動し、先端にテーブルを備えたコンベアと、先端にずりを前記テーブル上に掻き込むバケットを取付けて走行車に傾動かつ屈伸可能に支持されるブームを有し、コンベアにはずりの移送方向に延びる長尺のウェアプレートと、該ウェアプレートの両側に配置される無端チェーンに定間隔で連結され、該無端チェーンの循環駆動によりウェアプレート上を移動するフライトが設けられるずり積み機のコンベアにおいて、フライトとチェーンとの取付構造を簡単にし、取換えが容易に行えるようにする。【解決手段】チェーンがローラーチェーン７であり、ローラーリンク９の両側においてリンク９同士を連結するピン１２がローラーリンク９より突出し、該突出部分に上記フライト１１端部が差込まれ、ピン１２の突出部分にナット１３が捩じ込んで止着される。【選択図】図３
2009190850.tif 000002
【特許請求の範囲】
【請求項１】
走行車に上下方向に傾動可能に支持されて油圧シリンダーの作動により上下に傾動し、先端にテーブルを備えたコンベアと、先端にずりを前記テーブル上に掻き込むバケットを取付けて走行車に傾動かつ屈伸可能に支持されるブームを有し、コンベアにはずりの移送方向に延びる長尺のウェアプレートと、該ウェアプレートの両側に配置される無端チェーンに定間隔で連結され、該無端チェーンの循環駆動によりウェアプレート上を移動するフライトが設けられるずり積み機のコンベアにおいて、前記チェーンがローラーチェーンであり、前記フライトがローラーチェーンのリンク両側におけるリンク同士を連結するピンのローラーリンクよりの突出部分に止着されることを特徴とするコンベア。
【発明の詳細な説明】
【技術分野】
【０００１】
本発明は、切土時において、或いは地面、トンネル等を掘削するときにおいて生ずる土砂、地面に堆積するがれき（以下、これら土砂、がれき等を単に「ずり」という）を掻き込んでトラックやダンプカー、トロッコ等の運搬車に積み込む、ずり積み機に関し、ことに該ずり積み機に設けられるずり移送用のコンベアに関する。
【背景技術】
【０００２】
ずり積み機の一つに図１に示すように、クローラタイプの走行車１に上下方向に傾動可能に支持されて油圧シリンダーの作動により傾動し、先端にテーブル２を備えたずり移送用のコンベア３と、走行車の前面に傾動かつ屈伸可能に支持されて油圧シリンダーの作動により傾動かつ屈伸し、先端にずり掻き込み用のバケット４を取付けたブーム５を有し、上記コンベア３はずりの移送方向に延びる長尺のウェアプレート６と、図２に示されるように、該ウェアプレート６の両側に配置される無端状のリンクチェーン７と、該リンクチェーン７に噛合する図示しないスプロケットを備え、該スプロケットを回転駆動する油圧モータ（図示しない）と、無端チェーン７の長手方向に一定間隔で両側のリンクチェーン７を連結するフライト８よりなり、ずりの積み込み時には、コンベア３を前下がりに傾動させてテーブル先端部を接地させ、バケット４でずりをテーブル２上に掻き込んでフライト８の移動によりウェアプレート６に沿って搬送し、コンベア後端下に待機するダンプカー等の運搬車に積み込むずり積み機が知られる（特許文献１）。
【特許文献１】特開平９−４９２５１号
【発明の開示】
【発明が解決しようとする課題】
【０００３】
前述のずり積み機では、フライト８はウェアプレート６との間に入り込んだずりを引きずって移動することにより損耗することが避けられない。
【０００４】
本発明は、フライトのチェーンへの取付構造を簡単にし、フライトが損耗したときの取換えが容易に行えるようにしたずり積み機のコンベアを提供しようとするものである。
【課題を解決するための手段】
【０００５】
請求項１に係る発明は、走行車に上下方向に傾動可能に支持されて油圧シリンダーの作動により上下に傾動し、先端にテーブルを備えたコンベアと、先端にずりを前記テーブル上に掻き込むバケットを取付けて走行車に傾動かつ屈伸可能に支持されるブームを有し、コンベアにはずりの移送方向に延びる長尺のウェアプレートと、該ウェアプレートの両側に配置される無端チェーンに定間隔で連結され、該無端チェーンの循環駆動によりウェアプレート上を移動するフライトが設けられるずり積み機のコンベアにおいて、前記チェーンがローラーチェーンであり、前記フライトがローラーチェーンのリンク両側におけるリンク同士を連結するピンのローラーリンクよりの突出部分に止着されることを特徴とする。
【発明の効果】
【０００６】
請求項１に係る発明によると、フライトはリンクを連結するピンを利用してリンクに取付けられ、取付作業及びフライトの損耗による取換作業が容易となり、構造が簡単となること、チェーンがローラーチェーンであることによりリンクチェーンに比べ、蛇行を生じ難く、浮き上がり難いためずりがチェーンに噛み込み難く、チェーンの円滑な走行を妨げないこと、省スペースになること等の効果を有する。
【発明を実施するための最良の形態】
【０００７】
以下、本発明の実施形態のコンベアについて図面により説明する。図中、前述の図１及び図２に示すものと同一構造部分には同一符号を付した。
【０００８】
図３は、前記フライト１１とローラーチェーン７のローラーリンク９との連結部分の構造について示すもので、長手方向に一定間隔でローラーリンク９の両側においてリンク９同士を連結するピン１２がローラーリンク９より突出し、該突出部分に上記フライト１１端部が差込まれ、ピン１２の突出部分にナット１３が捩じ込んで止着されている。
【０００９】
本実施形態によると、ローラーチェーンのリンク９を連結するピン１２を利用し、該ピン１２を従来のものより長く形成してリンク９より突出させ、該突出部分にフライト１１を差込んでナット１３を締め込むことにより止着するようにしたもので、従来のローラーチェーンに若干の変更を加えるのみでフライト１１を止着することができ、止着作業もナットを締め込むことにより容易に行え、フライト１１が損耗したときの取換も容易となること、チェーンにローラーチェーンを用いたことにより、リンクチェーンに比べ蛇行を生じ難く、浮き上がりも生じ難いためずりがチェーンに噛み込み難く、チェーンの円滑な走行を妨げないこと、省スペースとなること、等の効果を有する。
【図面の簡単な説明】
【００１０】
【図１】ずり積み機の概略斜視図。
【図２】図１に示すずり積み機のリンクチェーンに連結されるフライトの平面図。
【図３】本発明に係るフライトとローラーチェーンのリンクの連結部分の平面図。
【符号の説明】
【００１１】
３・・コンベア
６・・ウェアプレート
７・・ローラーチェーン
８、１１・・フライト
９・・ローラーリンク
１２・・ピン
１３・・ナット
【図１】
2009190850.tif 000003
【図２】
2009190850.tif 000004
【図３】
2009190850.tif 000005
【手続補正書】
【提出日】平成20年2月21日(2008.2.21)
【手続補正１】
【補正対象書類名】明細書
【補正対象項目名】０００８
【補正方法】変更
【補正の内容】
【０００８】
図３は、前記フライト１１とローラーチェーン１０のローラーリンク９との連結部分の構造について示すもので、長手方向に一定間隔でローラーリンク９の両側においてリンク９同士を連結するピン１２がローラーリンク９より突出し、該突出部分に上記フライト１１端部が差込まれ、ピン１２の突出部分にナット１３が捩じ込んで止着されている。
【手続補正２】
【補正対象書類名】明細書
【補正対象項目名】００１１
【補正方法】変更
【補正の内容】
【００１１】
３・・コンベア
６・・ウェアプレート
８、１１・・フライト
９・・ローラーリンク
１０・・ローラーチェーン
１２・・ピン
１３・・ナット
【手続補正３】
【補正対象書類名】図面
【補正対象項目名】図３
【補正方法】変更
【補正の内容】
【図３】
2009190850.tif 000006